(57)【要約】【課題】  画像形成装置による印刷処理サービスの提供において非接触式の記憶媒体による精算を実現するにあたり、当該非接触式の記憶媒体の利便性を損なうことなく、サービスの利用量に適した金額を課金する構成を安価に提供する。【解決手段】  画像データを処理し印刷処理する画像形成装置であって、利用予定金額を入力し（５００）、ＩＣカードをあてると（５１０）、入力された利用予定金額に基づいて、ＩＣカードが書き換えられ、利用予定金額の範囲内で印刷処理が実行され（５３０）、印刷処理後にＩＣカードを当てると（５４０）、利用予定金額よりも印刷処理を実行したことにより発生した利用金額の方が少ない場合に、前記利用予定金額と前記利用金額との差額を表示する（５６０）機能を備える。【選択図】  図５
2006058566.tif 000002
【特許請求の範囲】
【請求項１】
画像データを処理し印刷処理する画像形成装置であって、
所定の金額を入力する入力手段と、
電子マネー情報が記憶されている記憶媒体の有無を検知する検知手段と、
前記印刷処理前に前記検知手段により前記記憶媒体を検知した場合に、前記入力手段により入力された入力金額に基づいて、前記記憶媒体に記憶されている電子マネー情報を書き換える書換手段と、
前記入力金額の範囲内で、前記印刷処理の実行を制御する制御手段と、
前記印刷処理後に前記記憶媒体を検知した場合であって、前記入力金額よりも、前記印刷処理を実行したことにより発生した発生金額の方が少ない場合に、前記入力金額と前記発生金額との差額を表示する表示手段と
を備えることを特徴とする画像形成装置。
【請求項２】
前記記憶媒体に記憶されている電子マネー情報を読み込む読込手段を更に備え、
前記印刷処理前に前記検知手段により前記記憶媒体を検知した場合であって、前記入力金額よりも、前記読込手段により読み込まれた電子マネー情報に記載された残高金額の方が少なかった場合に、前記表示手段は、前記入力金額よりも前記残高金額の方が少ない旨のメッセージを表示することを特徴とする請求項１に記載の画像形成装置。
【請求項３】
前記印刷処理後に前記記憶媒体を検知した場合であって、前記入力金額よりも、前記発生金額の方が少ない場合に、前記入力金額と前記発生金額との差額を印刷する印刷手段を更に備えることを特徴とする請求項１に記載の画像形成装置。
【請求項４】
前記印刷処理後に前記記憶媒体を検知した場合であって、前記入力金額よりも、前記発生金額の方が少ない場合に、前記書換手段は、前記入力金額と前記発生金額との差額に基づいて、前記記憶媒体に記憶されている電子マネー情報を書き換えることを特徴とする請求項１に記載の画像形成装置。
【請求項５】
画像データを処理し印刷処理する画像形成装置と通信可能に接続される情報処理装置であって、
電子マネー情報が記憶されている記憶媒体の有無を検知する検知手段と、
前記画像形成装置により印刷処理が行われる前に、前記検知手段により前記記憶媒体を検知した場合に、前記画像形成装置において入力された入力金額に基づいて、前記記憶媒体に記憶されている電子マネー情報を書き換える書換手段と、
前記画像形成装置により印刷処理が行われた後に、前記記憶媒体を検知した場合であって、前記入力金額よりも、前記画像形成装置が印刷処理を実行したことにより発生した発生金額の方が少ない場合に、前記入力金額と前記発生金額との差額を出力する出力手段と
を備えることを特徴とする情報処理装置。
【請求項６】
前記記憶媒体に記憶されている電子マネー情報を読み込む読込手段を更に備え、
前記画像形成装置により印刷処理が行われる前に前記検知手段により前記記憶媒体を検知した場合であって、前記入力金額よりも、前記読込手段により読み込まれた電子マネー情報に記載された残高金額の方が少なかった場合に、前記出力手段は、前記入力金額よりも前記残高金額の方が少ない旨のメッセージを出力することを特徴とする請求項５に記載の情報処理装置。
【請求項７】
前記印刷処理後に前記記憶媒体を検知した場合であって、前記入力金額よりも、前記発生金額の方が少ない場合に、前記入力金額と前記発生金額との差額を印刷する印刷手段を更に備えることを特徴とする請求項５に記載の情報処理装置。
【請求項８】
前記印刷処理後に前記記憶媒体を検知した場合であって、前記入力金額よりも、前記発生金額の方が少ない場合に、前記書換手段は、前記入力金額と前記発生金額との差額に基づいて、前記記憶媒体に記憶されている電子マネー情報を書き換えることを特徴とする請求項５に記載の情報処理装置。
【請求項９】
画像データを処理し印刷処理する画像形成装置における情報処理方法であって、
所定の金額を入力する入力工程と、
電子マネー情報が記憶されている記憶媒体の有無を検知する検知工程と、
前記印刷処理前に前記検知工程により前記記憶媒体を検知した場合に、前記入力工程により入力された入力金額に基づいて、前記記憶媒体に記憶されている電子マネー情報を書き換える書換工程と、
前記入力金額の範囲内で、前記印刷処理の実行を制御する制御工程と、
前記印刷処理後に前記記憶媒体を検知した場合であって、前記入力金額よりも、前記印刷処理を実行したことにより発生した発生金額の方が少ない場合に、前記入力金額と前記発生金額との差額を表示する表示工程と
を備えることを特徴とする情報処理方法。
【請求項１０】
前記記憶媒体に記憶されている電子マネー情報を読み込む読込工程を更に備え、
前記印刷処理前に前記検知工程により前記記憶媒体を検知した場合であって、前記入力金額よりも、前記読込工程により読み込まれた電子マネー情報に記載された残高金額の方が少なかった場合に、前記表示工程は、前記入力金額よりも前記残高金額の方が少ない旨のメッセージを表示することを特徴とする請求項９に記載の情報処理方法。
【請求項１１】
前記印刷処理後に前記記憶媒体を検知した場合であって、前記入力金額よりも、前記発生金額の方が少ない場合に、前記入力金額と前記発生金額との差額を印刷する印刷工程を更に備えることを特徴とする請求項９に記載の情報処理方法。
【請求項１２】
前記印刷処理後に前記記憶媒体を検知した場合であって、前記入力金額よりも、前記発生金額の方が少ない場合に、前記書換工程は、前記入力金額と前記発生金額との差額に基づいて、前記記憶媒体に記憶されている電子マネー情報を書き換えることを特徴とする請求項９に記載の情報処理方法。
【請求項１３】
画像データを処理し印刷処理する画像形成装置と通信可能に接続される情報処理装置における情報処理方法であって、
電子マネー情報が記憶されている記憶媒体の有無を検知する検知工程と、
前記画像形成装置により印刷処理が行われる前に、前記検知工程により前記記憶媒体を検知した場合に、前記画像形成装置において入力された入力金額に基づいて、前記記憶媒体に記憶されている電子マネー情報を書き換える書換工程と、
前記画像形成装置により印刷処理が行われた後に、前記記憶媒体を検知した場合であって、前記入力金額よりも、前記画像形成装置が印刷処理を実行したことにより発生した発生金額の方が少ない場合に、前記入力金額と前記発生金額との差額を出力する出力工程と
を備えることを特徴とする情報処理方法。
【請求項１４】
前記記憶媒体に記憶されている電子マネー情報を読み込む読込工程を更に備え、
前記画像形成装置により印刷処理が行われる前に前記検知工程により前記記憶媒体を検知した場合であって、前記入力金額よりも、前記読込工程により読み込まれた電子マネー情報に記載された残高金額の方が少なかった場合に、前記出力工程は、前記入力金額よりも前記残高金額の方が少ない旨のメッセージを出力することを特徴とする請求項１３に記載の情報処理方法。
【請求項１５】
前記印刷処理後に前記記憶媒体を検知した場合であって、前記入力金額よりも、前記発生金額の方が少ない場合に、前記入力金額と前記発生金額との差額を印刷する印刷工程を更に備えることを特徴とする請求項１３に記載の情報処理方法。
【請求項１６】
前記印刷処理後に前記記憶媒体を検知した場合であって、前記入力金額よりも、前記発生金額の方が少ない場合に、前記書換工程は、前記入力金額と前記発生金額との差額に基づいて、前記記憶媒体に記憶されている電子マネー情報を書き換えることを特徴とする請求項１３に記載の情報処理方法。
【請求項１７】
請求項９乃至１６のいずれか１項に記載の情報処理方法をコンピュータによって実現させるための制御プログラムを格納した記憶媒体。
【請求項１８】
請求項９乃至１６のいずれか１項に記載の情報処理方法をコンピュータによって実現させるための制御プログラム。
【発明の詳細な説明】
【技術分野】
【０００１】
本発明は、複写機、レーザビームプリンタなどの画像形成装置における課金処理技術に関する。
【背景技術】
【０００２】
従来から、複写機やプリンタなどの画像形成装置により作成された印刷物の料金を印刷結果に応じて計算し提示することで、有料で印刷処理のサービスを提供する画像形成装置が知られている。かかる画像形成装置では、プリント或いはコピー終了後に、記録紙サイズ毎に利用した料金を演算し、演算結果を提示することにより、ユーザから料金を徴収することとしている。
【０００３】
また、従来から、複写機などの画像形成装置にコインラックを接続し、ユーザに予め料金を投入させることで、当該投入した料金の範囲内でコピー等の印刷処理のサービスを提供する画像形成装置が提案されている。かかる画像形成装置では、コピー実行後にコピー実行に要した費用を差し引いた金額を返金するか、設定したコピーの要求内容に対し投入金額不足でコピー実行の継続が不可能となった時点で、コピーの要求内容と無関係に一律にコピー実行を停止するように構成されている。
【０００４】
一方、近年、料金の支払いにおいて非接触ＩＣカードを用いる精算システムが普及してきている。例えば、特開平１０−９１８２３号公報では交通機関の切符や定期券を非接触ＩＣカードに置き換えた自動改札装置ならびに精算システムが提案され、また、特開２００３―２２８７５０号公報では、清涼飲料を発売する自動販売機での非接触ＩＣカードによる精算システムが提案されている。
【０００５】
このような、非接触ＩＣカードを用いた精算システムの普及に伴い、上述した画像形成装置による有料の印刷処理サービスの提供にあたっても、非接触ＩＣカードによる精算の実現が望まれている。
【０００６】
ここで、非接触ＩＣカードを含めたＩＣカードを用いた精算システムをコンビニエンスストアなどに普及している印刷処理サービス（コピーサービス）に適用したものとしては、例えば特開２００２−３２８７９７号公報が挙げられる。同公報によれば、プリペイド式ＩＣカード内にユーザＩＤとあらかじめユーザがチャージした料金とを登録しておき、ユーザＩＤとパスワードを組み合わせることによりコピーサービスを実現している。
【０００７】
しかしながら、かかる方式によれば、画像形成装置にはめ込み式のＩＣカードリーダ部を設け、このはめ込み部にプリペイド式ＩＣカードを装着し、ＩＣカードとの通信を行う必要があり、通信中にプリペイドＩＣカードが脱落した場合等にはうまく通信できないといった問題がある。
【０００８】
そこで、例えば、特開２００２−２４５５１９号公報では、非接触ＩＣカードを読み書きする通信中に誤って非接触ＩＣカードを取り除かれることを回避すべく、通信中に非接触ＩＣカードを取り除くことができないようにするための、物理的なカバーを設けることを提案している。しかし、かかる物理的なカバーを設けることはコスト面において好ましくなく、また、非接触ＩＣカードの利便性（ＩＣカードリーダ部に軽くかざすだけで、素早く情報の授受が行われるという利便性）が損なわれるという点でも好ましくない。
【０００９】
一方、非接触ＩＣカードを接触させ、「課金」（非接触ＩＣカードに記憶されている電子マネー情報の書き換え）を行うと同時に商品である清涼飲料を提供する上記自動販売機の場合と異なり、コンビニエンスストアなどに普及しているコピーサービスは、記録紙に印刷処理するたびに課金が発生し、なおかつ複数枚印刷処理する場合には１枚ずつ印刷処理するたびに課金を行う必要があるという、特異な利用形態となっている。
【００１０】
そして、このような利用形態のもとでも、非接触ＩＣカードの利便性を保つためには、印刷処理開始前、または印刷処理終了後のタイミングでまとめて課金を行う構成とすることが望ましい。
【００１１】
コピーサービスの印刷処理開始前に課金を行う提案としては、例えば、下記特許文献１が挙げられる。同文献によれば、印刷処理する原稿の読み込みと印刷処理するモードの設定をあらかじめユーザに行わせ、印刷処理時に必要となる料金を先に表示させ、印刷処理開始前に課金を行うこととしている。
【００１２】
一方、コピーサービスの印刷処理終了後に課金を行う提案としては、例えば、下記特許文献２が挙げられる。同文献によれば、これまでの画像形成装置は、印刷処理された印刷物が出力トレイにむき出しで積載されるがゆえ、印刷処理終了後に課金することとすると、ユーザは課金操作を行わなくても印刷物を得ることができてしまうという問題に鑑みて、外部から直接取り除けない画像形成装置機内のメールボックスに印刷物を一旦積載し、正常に課金が行われた場合にのみ、当該画像形成装置内のメールボックスから画像形成装置外の出力トレイに印刷物を排出することにより、印刷処理終了後の課金を実現している。
【特許文献１】特開２００１−９２３１９号公報
【特許文献２】特開２００３―２２８７５０号公報
【発明の開示】
【発明が解決しようとする課題】
【００１３】
しかしながら、上記特許文献１のように、印刷処理開始前に課金を行ってから印刷処理を開始させる構成の場合、印刷処理中に記録紙がなくなったり、あるいはユーザの都合で印刷処理を途中でキャンセルしたりした場合に、利用に必要な料金（利用料金）以上の料金をユーザから徴収してしまうこととなる。
【００１４】
また、上記特許文献２のように、プリントした印刷物を物理的に取り除けないように構成しようとすると、コスト高になるという問題がある。
【００１５】
本発明は、上記課題に鑑みてなされたものであり、画像形成装置による印刷処理サービスの提供において非接触式の記憶媒体による精算を実現するにあたり、当該非接触式の記憶媒体の利便性を損なうことなく、サービスの利用量に適した金額を課金する構成を安価に提供することを目的とする。
【課題を解決するための手段】
【００１６】
上記の目的を達成するために本発明に係る情報処理装置は以下のような構成を備える。即ち、
画像データを処理し印刷処理する画像形成装置であって、
所定の金額を入力する入力手段と、
電子マネー情報が記憶されている記憶媒体の有無を検知する検知手段と、
前記印刷処理前に前記検知手段により前記記憶媒体を検知した場合に、前記入力手段により入力された入力金額に基づいて、前記記憶媒体に記憶されている電子マネー情報を書き換える書換手段と、
前記入力金額の範囲内で、前記印刷処理の実行を制御する制御手段と、
前記印刷処理後に前記記憶媒体を検知した場合であって、前記入力金額よりも、前記印刷処理を実行したことにより発生した発生金額の方が少ない場合に、前記入力金額と前記発生金額との差額を表示する表示手段とを備える。
【発明の効果】
【００１７】
画像形成装置による印刷処理サービスの提供において非接触式の記憶媒体による精算を実現するにあたり、当該非接触式の記憶媒体の利便性を損なうことなく、サービスの利用量に適した金額を課金する構成を安価に提供することが可能となる。
【発明を実施するための最良の形態】
【００１８】
以下、必要に応じて添付図面を参照しながら本発明の実施形態を詳細に説明する。
【００１９】
＜画像形成装置の外観構成＞
図１は本発明の一実施形態に係る画像形成装置の全体構成を示す図である。図１に示すように、画像形成装置は大きくは画像形成装置本体１５０と課金装置（情報処理装置）３００とから構成されている。画像形成装置本体１５０は更にスキャナ部１００とプリント部２００とから構成され、画像形成装置本体１５０内の制御部（画像形成制御部）によって制御されている。
【００２０】
また、課金装置３００は電子マネー情報が記憶されている非接触ＩＣカード（記憶媒体）３５０の内容を読み書きするＩＣカードリーダライタ部３０１を備えており、ＩＣカードリーダライタ部３０１に非接触ＩＣカードを近づけることによって、非接触ＩＣカードの固有ＩＤ、残高金額（残金）などの内容を読み書きすることが可能である。また課金装置３００と画像形成装置本体１５０は課金装置接続部３１０とケーブルによって通信可能に接続されている。
【００２１】
＜画像形成装置本体１５０のスキャナ部及びプリンタ部の構成＞
図２は本発明の一実施形態に係る画像形成装置（図１）のうち、画像形成装置本体１５０のスキャナ部１００及びプリンタ部２００の各機構部の構成を示す断面図である。
【００２２】
スキャナ部１００の原稿給送ユニット１０１は原稿を先頭順に１枚ずつプラテンガラス１０２上へ給送し、原稿の読み取り動作終了後、プラテンガラス１０２上の原稿を排出トレイ１０３に排出するものである。
【００２３】
原稿がプラテンガラス１０２上に搬送されると、ランプ１０４を点灯させ、そして光学ユニット１０５の移動を開始させて、原稿を露光走査する。この時の原稿からの反射光は、ミラー１０６、１０７、１０８及びレンズ１０９によってＣＣＤイメージセンサ(以下ＣＣＤという)１１０へ導かれる。このように、走査された原稿の画像はＣＣＤ１１０によって読み取られる。ＣＣＤ１１０から出力される画像データは、所定の処理が施された後、プリンタ部２００の画像形成制御部１５へ転送される。
【００２４】
プリンタ部２００各部の構成を動作と共に詳述すると、プリンタ部２００のレーザドライバ２２１は、レーザ発光部２０１を駆動するものであり、画像形成制御部１５から出力された画像データに応じたレーザ光をレーザ発光部２０１に発光させる。該レーザ光は感光ドラム２０２に照射され、感光ドラム２０２にはレーザ光に応じた潜像が形成される。該感光ドラム２０２に形成された潜像の部分には、現像器２０３によって現像剤が付着される。
【００２５】
プリンタ部２００は用紙格納部として、それぞれ引き出し上の形状をしたカセット２０４、カセット２０５、カセット２０６、カセット２０７、そして、機外に露出しているトレイ上の手差し給紙段２０８を備えている。従来では手差し給紙段２０８を除き、カセットを引き出し、そのカセットに用紙を補給し、カセットを閉めることによって用紙補給を行なっている。
【００２６】
そして、レーザ光の照射開始と同期したタイミングで、カセット２０４、カセット２０５、カセット２０６、カセット２０７、手差し給紙段２０８のいずれかから記録紙を給紙し、転写部２０９へ搬送路２１０によって、感光ドラム２０２に付着された現像剤を記録紙に転写する。現像剤ののった記録紙は搬送ベルト２１１によって、定着部２１２に搬送され、定着部２１２の熱と圧力により現像剤は記録紙に定着される。その後、定着部２１２を通過した記録紙は搬送路２１３、搬送路２１４を通り、排出される。あるいは、印字面を反転して排出する場合には、搬送路２１５、搬送路２１６まで導かれ、そこから記録紙を逆方向に搬送し、搬送路２１７、搬送路２１４を通る。
【００２７】
また、両面記録が設定されている場合は、定着部２１２を通過したあと、搬送路２１５からフラッパ２１８によって、搬送路２１９に記録紙は導かれ、その後記録紙を逆方向に搬送し、フラッパ２１８によって、搬送路２１６、再給紙搬送路２１９へ導かれる。再給紙搬送路２１９へ導かれた記録紙は上述したタイミングで搬送路２１０を通り、転写部２０９へ給紙される。そして、搬送路２１４より排出された記録紙は排出ビン２２０へ搬送され積載される。
【００２８】
＜画像形成装置本体１５０の画像形成制御部の構成＞
図３は画像形成装置本体１５０の画像形成制御部１５の構成を示すブロック図である。図３に示すように画像形成制御部１５はＣＰＵ１、ＲＯＭ３、ＲＡＭ４、課金装置コントローラ３０、ネットワークコントローラ５０、スキャナコントローラ１０、プリンタコントローラ２０、操作部コントローラ６０、ＨＤＤコントローラ４０を有し、それぞれシステムバス２によって接続されている。
【００２９】
ＣＰＵ１は画像形成制御部１５全体の動作を制御するものであり、ＣＰＵ１はＲＯＭ３から読み込んだプログラムに基づいて動作する。ＲＡＭ４はＣＰＵ１が動作するためのワークエリアや、画像データを蓄積するためのエリアとして使用される。課金装置コントローラ３０は図１で図示した課金装置接続部３１０を経由して課金装置３００と接続され、シリアル通信を行い課金などのコマンドのやり取りを行う。
【００３０】
ネットワークコントローラ５０はネットワークを制御するためのコントローラであり、外部ネットワークと接続されている。外部ネットワークにはＰＣ／ＷＳ７００といった外部コンピュータと接続され、画像形成装置本体１５０とデータの通信を行う。
【００３１】
スキャナコントローラ１０はスキャナ部１００と接続され、また、システムバス２によってＣＰＵ１と接続されており、スキャナ部１００から受け取った画像データを、その後の過程における処理の内容によって、最適な２値化を行ったり、主走査・副走査の変倍処理を行ったりする機能を有し、さらに、スキャナ部１００から送られたビデオ制御信号をもとに生成した制御信号を、システムバス２に出力する機能も有する。
【００３２】
プリンタコントローラ２０はプリンタ部２００と接続され、また、システムバス２によってＣＰＵ１と接続されており、ＣＰＵ１から出力された画像データにスムージング処理をして、プリンタ部２００へ出力する機能を有し、さらに、プリンタ部２００から送られたビデオ制御信号をもとに生成した制御信号を、システムバス２に出力する機能も有する。
【００３３】
操作部コントローラ６０は、操作部６５０と接続されている。操作部６５０は液晶表示部と液晶表示部上に張り付けられたタッチパネル入力装置と、複数個のハードキーを有する。タッチパネルまたはハードキーにより入力された信号は操作部コントローラ６０を介してＣＰＵ１に伝えられ、液晶表示部は操作部コントローラ６０から送られてきた画像データを表示するものである。液晶表示部には、本画像形成装置の操作における機能表示や画像データ等を表示する。
【００３４】
ＨＤＤコントローラ４０はハードディスク４００と接続されており、プログラムや画像データを書き込んだり読み込んだりすることができる。
【００３５】
＜画像形成装置本体１５０の操作部の構成＞
続いて図４を用いて画像形成装置本体１５０の操作部６５０について説明する。同図において、６００はＬＣＤタッチパネルであり、主なモード設定、状況表示はここで行われる。６０１は０〜９までの数値を入力するためのテンキーである。６０２はＩＤキーであり、画像形成装置が部門管理されている場合に部門番号と暗証モードを入力する際に使用されるものである。
【００３６】
６０３は設定されたモードをリセットするためのリセットキー、６０４は各モードについての説明画面を表示するためのガイドキー、６０５はユーザモード画面に入るためのユーザモードキー、６０６は割り込みコピーを行うための割り込みキーになっている。
【００３７】
６０７はコピー動作をスタートさせるためのスタートキー、６０８は実行中のコピージョブを中止させるためのストップキーである。
【００３８】
６０９はソフト電源ＳＷであり、押下することによりＬＣＤ６００のバックライトが消え画像形成装置は低電力状態に落ちる。６１０は節電キーであり、これを押下することで節電状態に入り、再度押下することで節電状態から復帰する。６１４はＬＣＤタッチパネルのコントラストを調整するための調整キーである。
【００３９】
６１５はカウンタ確認キーであり、このキーを押下することでそれまでに使用したコピー枚数の集計を表示するカウント画面がＬＣＤ上に表示される。６１６はジョブの実行中、画像メモリへの画像蓄積中を示すＬＥＤ、６１７はジャム、ドアオープン等装置がエラー状態にあることを示すエラーＬＥＤ、６１８は画像形成装置のメインスイッチがＯＮになっていることを示す電源ＬＥＤになっている。
【００４０】
＜課金装置３００の制御部の構成＞
図９は課金装置３００の課金装置制御部３２０の構成を示すブロック図である。図９に示すように課金装置制御部３２０はＣＰＵ３２１、ＲＯＭ３２３、ＲＡＭ３２４、画像形成装置Ｉ／Ｆ３２５、非接触ＩＣカードリーダライタＩ／Ｆ３２６を有し、それぞれシステムバス３２２によって接続されている。ＣＰＵ３２１は課金装置制御部３２０全体の動作を制御するものであり、ＣＰＵ３２１はＲＯＭ３２３から読み込んだプログラムに基づいて動作する。ＲＡＭ３２４はＣＰＵ３２１が動作するためのワークエリアとして使用される。画像形成装置Ｉ／Ｆ３２５は画像形成制御部１５と接続され、シリアル通信を行い課金などのコマンドのやり取りを行う。また非接触ＩＣカードリーダライタＩ／Ｆ３２６は図１に図示した非接触ＩＣカードリーダ３０１と接続され、非接触ＩＣカード３５０内部の固有ＩＤや残金などの情報の読み書きを行う。
【００４１】
＜画像形成装置本体１５０の操作部における表示＞
図５は画像形成装置本体１５０の操作部６５０のＬＣＤタッチパネル６００に表示される画面を図示したものである。画面５００は待機状態時に表示する画面である。画面５１０は待機状態にユーザから操作部６５０上のテンキー６０１を用いて、これから利用する金額（利用予定金額（ユーザが入力する金額であるので「入力金額」ともいう））を入力した時の画面を示している。ここでは利用予定金額が２００円であることを示している。
【００４２】
画面５２０は画面５１０で利用予定金額を入力したあと、課金装置３００の非接触ＩＣカードリーダライタ部３０１に非接触ＩＣカード３５０を接触させ残金を読み出した結果、非接触ＩＣカードに登録されている残金が画面５１０で入力した利用予定金額よりも少なかった場合のエラー処理の画面を示している。画面５３０は画面５１０で利用予定金額を入力したあと、課金装置３００の非接触ＩＣカードリーダライタ部３０１に非接触ＩＣカード３５０を接触させ、非接触ＩＣカードに登録されている残金が画面５１０で入力した利用予定金額よりも多く、ジョブが投入できる状態になったときの、コピー設定を行うための画面を示している。画面５４０はジョブ終了時に利用予定金額よりも実際の利用金額（発生金額）が少なかった場合に、表示する画面を示している。画面５５０は実際の利用金額を表示する画面を示している。また、画面５６０は利用予定額よりも利用金額が少なかった場合に、その差額分をお釣り引換券にて返金する旨を表示する画面を示している。
【００４３】
＜画像形成制御部における処理の流れ（１）＞
次に、図６を用いて画像形成制御部１５における課金処理制御の制御手順の一例を説明する。図６は画像形成制御部１５における処理の流れを示したフローチャートである。
【００４４】
先ず、ステップＳ６００で画像形成制御部１５は、待機状態にある画像形成装置本体１５０における操作部６５０上のＬＣＤタッチパネル６００に図５の画面５００を表示し、これから画像形成装置本体１５０においてコピーなどのサービスを利用するユーザに、利用する予定の金額（利用予定金額）を入力するよう促す。
【００４５】
ステップＳ６０１で画像形成制御部１５は、ステップＳ６００でユーザが利用予定金額を画像形成装置本体１５０に対して入力するように促した結果、ユーザが利用予定金額Ｘを入力したか否かを判定する。画像形成制御部１５において、ユーザが利用予定金額Ｘを画像形成装置本体１５０の操作部６５０上のテンキー６０１を用いて入力したと判定された場合には、その入力結果に対し画像形成装置本体１５０の画像形成制御部１５は操作部６５０上のＬＣＤタッチパネル６００に図５の画面５１０に示すようにユーザが入力した利用予定金額Ｘを表示する。また、画像形成制御部１５は、テンキー６０１を用いて入力された利用予定金額Ｘを画像形成装置本体１５０に課金装置接続部３１０を通してシリアルケーブルで接続されている課金装置３００に対して通知する。
【００４６】
ステップＳ６０２で画像形成制御部１５は、ユーザに対して非接触ＩＣカード３５０を画像形成装置本体１５０に接続されている課金装置３００の非接触ＩＣカードリーダライタ３０１に接触するよう促す。
【００４７】
ステップＳ６０３で画像形成制御部１５は、課金装置３００から画像形成制御部１５にコマンドが通知されるまで待機するとともに、コマンドが通知された場合には、当該通知されたコマンドが課金装置３００からのタイムアウトコマンドであるか否かの判別を行う。もしタイムアウトコマンドである場合にはステップＳ６００に戻り、待機状態になる。またタイムコマンドでない場合にはステップＳ６０４へ進む。ここで、タイムアウトコマンドとは、利用予定額Ｘに関する情報が画像形成部１５から課金装置３００へ送信された後に非接触ＩＣカードが非接触ＩＣカードリーダライタ３０１に接触されることなく所定時間が経過した場合に、課金装置３００から画像形成制御部１５に対して通知されるコマンドである。
【００４８】
ステップＳ６０４で画像形成制御部１５は、課金装置３００上の非接触ＩＣカードリーダライタ３０１に接触されたユーザ所有の非接触ＩＣカード３５０内にチャージされているＩＣカード残金Ｙが利用予定金額Ｘ以上であるか否かを、課金装置３００から受信した非接触ＩＣカードの残金Ｙに関する情報に基づいて判定する。ＩＣカード残金Ｙが利用予定金額Ｘ以上である場合にはステップＳ６０５へ進み、ＩＣカード残金Ｙが利用予定金額Ｘよりも小さい場合にはステップＳ６００へ戻る。なお、ステップＳ６００へ戻る場合、画像形成制御部１５は、操作部６５０上のＬＣＤタッチパネル６００に対し図５の画面５２０を表示する。画面５２０ではユーザが所有する非接触ＩＣカード内のＩＣカード残金ＹがステップＳ６０１でユーザが入力した利用予定金額Ｘよりも小さく、課金が行えないため、サービスを提供できなかったというメッセージを表示する。
【００４９】
ステップＳ６０５で画像形成制御部１５は、非接触ＩＣカードの残金Ｙが利用予定金額Ｘ以上であることから、予定利用金額Ｘの引き落としが可能であるので、課金装置３００に対して利用予定金額Ｘを非接触ＩＣカード３５０から引き落とす旨を指示するコマンドを課金装置３００に送信する。画像形成制御部１５から利用予定金額Ｘを引き落とす旨を指示するコマンドを受信した課金装置３００の非接触ＩＣカードリーダライタ３０１は、非接触ＩＣカード３５０から利用予定金額Ｘを引き落とすよう、非接触ＩＣカード３５０内の残金データを残金Ｙから（残金Ｙ−利用予定金額Ｘ）に書き換える。
【００５０】
次にステップＳ６０７で画像形成制御部１５は、ユーザからのジョブ投入を受け、画像形成装置本体１５０のプリンタ部２００で記録紙に一枚ずつプリントする前に、これから記録紙にプリントする際に必要となる金額（予定課金額）Ａを決定する。たとえば記録紙に対してモノクロプリントを行う場合には１０円、カラープリントを行う場合には５０円といったような決定である。
【００５１】
ステップＳ６０８で画像形成制御部１５は、ステップＳ６０７で決定した予定課金額ＡとステップＳ６０６のジョブ投入時からのトータル課金額Ｚの和がステップＳ６０１でユーザが入力した利用予定金額Ｘよりも大きいか否かを判定する。予定課金額Ａとトータル課金額Ｚの和が利用予定金額Ｘよりも大きい場合にはステップＳ６１１へ進み、小さいあるいは一致する場合にはステップＳ６０９へ進む。
【００５２】
ステップＳ６０９では、ステップＳ６０８で予定課金額Ａとトータル課金額Ｚの和が利用予定金額Ｘより小さいあるいは一致したため、ステップＳ６０７で決定した予定課金額Ａ分のプリントを行い、トータル課金額Ｚに予定課金額Ａ分を加算し、ステップＳ６１０へ進む。
【００５３】
ステップＳ６１０では、ステップＳ６０９で予定課金Ａとトータル課金Ｚの和が利用予定金額Ｘより小さいあるいは一致したため、ステップＳ６０８で求めた予定課金Ａ分のプリントを行い、トータル課金Ｚに予定課金Ａ分を加算し、ステップＳ６１１へ進む。
【００５４】
ステップＳ６１０で画像形成制御部１５は、ジョブが終了するか否かを判別する。つまりステップＳ６０９でプリントした記録紙がそのジョブで最後のプリントであったかを判別する。ジョブを終了する場合にはステップＳ６１１へ、ジョブを終了せずに、次の記録紙へプリントする場合にはステップＳ６０７へ戻り、次にプリントする記録紙の予定課金額Ａを計算する。
【００５５】
ステップＳ６１１で画像形成制御部１５は、ジョブが終了した後に、ステップＳ６０１でユーザが入力した利用予定金額ＸとステップＳ６０９で求めたトータル課金額Ｚとを比較し、利用予定金額Ｘがトータル課金額Ｚよりも大きい場合にはステップＳ６１２へ進み、利用予定金額Ｘがトータル課金額Ｚと一致する場合にはステップＳ６１４へ進む。なお、ステップＳ６０８で予定課金額Ａとトータル課金額Ｚの和が利用予定金額Ｘよりも大きい場合には強制的にステップＳ６１１へ進む処理を入れているので、利用予定金額Ｘがトータル課金額Ｚより小さいことはありえない。
【００５６】
ステップＳ６１２で画像形成制御部１５は、利用予定金額Ｘがトータル課金額Ｚより大きくユーザに返金をする必要があることから、ユーザに対して非接触ＩＣカード３５０を画像形成装置本体１５０に接続されている課金装置３００の非接触ＩＣカードリーダライタ３０１に接触するよう促すべく、画像形成装置本体１５０の操作部６５０上のＬＣＤタッチパネル６００に対し図５の画面５４０を表示する。
【００５７】
ステップＳ６１３で画像形成制御部１５は、課金装置３００の非接触ＩＣカードリーダライタ３０１にユーザが非接触ＩＣカード３５０を接触させて（必ずしも物理的に接触させる必要はなく、非接触ＩＣリーダライタ３０１が非接触ＩＣカード３５０と通信可能な距離へ近づければよい）課金装置３００から非接触ＩＣカード３５０の接触があった旨の通知がなされたか否かを判定する。なお、ステップＳ６１３で課金装置３００が非接触ＩＣカード３５０の接触があった旨の通知をする場合とは、非接触ＩＣカードリーダライタ３０１から非接触ＩＣカード３５０に返金額（利用予定金額Ｘ−トータル課金額Ｚ）に相当する金額を加算するよう書込みをした場合をいう。
【００５８】
次にステップＳ６１４で画像形成制御部１５は、操作部６５０上のＬＣＤタッチパネル６００に対し、図５の画面５５０を表示して利用完了の表示をする。その後、画像形成制御部１５は、画面５００を表示させ、次のユーザからのサービス利用を待つ。
【００５９】
＜画像形成制御部における処理の流れ（２）＞
次に、図７を用いて画像形成制御部１５における課金処理制御の制御手順の他の一例を説明する。図７は画像形成制御部１５における処理の流れを示したフローチャートである。
【００６０】
先ず、ステップＳ７００で画像形成制御部１５は、待機状態にある画像形成装置本体１５０における操作部６５０上のＬＣＤタッチパネル６００に図５の画面５００を表示し、これから画像形成装置本体１５０においてコピーなどのサービスを利用する予定の金額（利用予定金額Ｘ）をユーザに入力するよう促す。
【００６１】
ステップＳ７０１で画像形成制御部１５は、ステップＳ７００でユーザが利用予定金額を画像形成装置本体１５０に対して入力するように促した結果、ユーザが利用予定金額Ｘを入力したか否かを判定する。画像形成制御部１５において、ユーザが利用予定金額Ｘを画像形成装置本体１５０の操作部６５０上のテンキー６０１を用いて入力したと判定された場合には、その入力結果に対し画像形成装置本体１５０の画像形成制御部１５は操作部６５０上のＬＣＤタッチパネル６００に図５の画面５１０に示すようにユーザが入力した利用予定金額Ｘを表示する。また、画像形成制御部１５は、テンキー６０１を用いて入力された利用予定金額Ｘを画像形成装置本体１５０に課金装置接続部３１０を通してシリアルケーブルで接続されている課金装置３００に対して通知する。
【００６２】
ステップＳ７０２で画像形成制御部１５は、ユーザに対して非接触ＩＣカード３５０を画像形成装置本体１５０に接続されている課金装置３００の非接触ＩＣカードリーダライタ３０１に接触するよう促す。
【００６３】
ステップＳ７０３で画像形成制御部１５は、課金装置３００から画像形成制御部１５にコマンドが通知されるか否かを待機するとともに通知されたコマンドが課金装置３００からのタイムアウトコマンドであるか否かの判別を行う。もしタイムアウトコマンドである場合にはステップＳ７００に戻り、待機状態になる。またタイムコマンドでない場合にはステップＳ７０４へ進む。
【００６４】
ステップＳ７０４で画像形成制御部１５は、課金装置３００上の非接触ＩＣカードリーダライタ３０１に接触されたユーザ所有の非接触ＩＣカード３５０内にチャージされているＩＣカード残金Ｙが利用予定金額Ｘ以上であるか否かを、課金装置３００から受信した非接触ＩＣカードの残金Ｙに関する情報に基づいて判定する。ＩＣカード残金Ｙが利用予定金額Ｘ以上である場合にはステップＳ７０５へ進み、ＩＣカード残金Ｙが利用予定金額Ｘよりも小さい場合にはステップＳ７００へ戻る。なお、ステップＳ７００へ戻る場合、画像形成制御部１５は、操作部６５０上のＬＣＤタッチパネル６００に対し図５の画面５２０を表示する。画面５２０ではユーザが所有する非接触ＩＣカード内のＩＣカード残金ＹがステップＳ６０１でユーザが入力した利用予定金額Ｘよりも小さく、課金が行えないため、サービスを提供できなかったというメッセージを表示する。
【００６５】
ステップＳ７０５で画像形成制御部１５は、非接触ＩＣカードの残金Ｙが利用予定金額Ｘ以上であることから、予定利用金額Ｘの引き落としが可能であるので、課金装置３００に対して利用予定金額Ｘを非接触ＩＣカード３５０から引き落とす旨を指示するコマンドを課金装置３００に送信する。画像形成制御部１５から利用予定金額Ｘを引き落とす旨を指示するコマンドを受信した課金装置３００の非接触ＩＣカードリーダライタ３０１は、非接触ＩＣカード３５０から利用予定金額Ｘを引き落とすよう、非接触ＩＣカード３５０内の残金データを残金Ｙから（残金Ｙ−利用予定金額Ｘ）に書き換える。
【００６６】
ステップＳ７０６で画像形成制御部１５は、画像形成装置本体１５０における操作部６５０上のＬＣＤタッチパネル６００に対し、図５の画面５３０のようにジョブ投入の待ち受け画面を表示し、ユーザからのジョブの投入を待つ。
【００６７】
次にステップＳ７０７で画像形成制御部１５は、ユーザからのジョブ投入を受け、画像形成装置本体１５０のプリンタ部２００で記録紙に一枚ずつプリントする前に、これから記録紙にプリントする際に必要となる金額（予定課金額）Ａを決定する。たとえば記録紙に対してモノクロプリントを行う場合には１０円、カラープリントを行う場合には５０円といったような決定である。
【００６８】
ステップＳ７０８で画像形成制御部１５は、ステップＳ７０７で決定した予定課金額ＡとステップＳ７０６のジョブ投入時からのトータル課金額Ｚの和がステップＳ７０１でユーザが入力した利用予定金額Ｘよりも大きいか否かを判定する。予定課金額Ａとトータル課金額Ｚの和が利用予定金額Ｘよりも大きい場合にはステップＳ７１１へ進み、小さいあるいは一致する場合にはステップＳ７０９へ進む。
【００６９】
ステップＳ７０９では、ステップＳ７０８で予定課金額Ａとトータル課金額Ｚの和が利用予定金額Ｘより小さいあるいは一致したため、ステップＳ７０７で決定した予定課金額Ａ分のプリントを行い、トータル課金額Ｚに予定課金額Ａ分を加算し、ステップＳ７１０へ進む。
【００７０】
ステップＳ７１０で画像形成制御部１５は、ジョブが終了するか否かを判別する。つまりステップＳ７０９でプリントした記録紙がそのジョブで最後のプリントであったかを判別する。ジョブを終了する場合にはステップＳ７１１へ、ジョブを終了せずに、次の記録紙へプリントする場合にはステップＳ７０７へ戻り、次にプリントする記録紙の予定課金額Ａを計算する。
【００７１】
ステップＳ７１１で画像形成制御部１５は、ジョブが終了した後に、ステップＳ７０１でユーザが入力した利用予定金額ＸとステップＳ７０９で求めたトータル課金額Ｚとを比較し、利用予定金額Ｘがトータル課金額Ｚよりも大きい場合にはステップＳ７１２へ進み、利用予定金額Ｘがトータル課金額Ｚと一致する場合にはステップＳ７１３へ進む。なお、ステップＳ７０８で予定課金Ａとトータル課金Ｚの和が利用予定金額Ｘよりも大きい場合には強制的にステップＳ７１１へ進む処理を入れているので、利用予定金額Ｘがトータル課金Ｚより小さいことはありえない。
【００７２】
ステップＳ７１２で画像形成制御部１５は、画像形成制御部における処理の流れ（１）のように直接非接触ＩＣカード３５０にお釣りを返金するのではなく、図１０に図示するお釣り引換券１００１となる用紙をプリント部２００より出力させる。ユーザはそのお釣り引換券１００１をレジなどの従業員がいる所定の場所に持っていくことで、お釣りと引き換える。またおつり引換券１００１の出力と同時に、画像形成装置本体１５０の操作部６５０上のＬＣＤタッチパネル６００に対し図５の画面５６０を表示し、ユーザにお釣り引換券１００１を受け取り、レジに持っていくよう促す。なお、お釣り引換券１００１にプリントするお釣り金額は、（利用予定金額Ｘ−トータル課金額Ｚ）に相当する金額とする。
【００７３】
ステップＳ７１２にてプリンタ部２００からプリントしたお釣り引換券１００１を出力した場合、あるいはステップＳ７１１にて利用予定金額Ｘとトータル課金額Ｚが一致した場合には、ステップＳ７１３に進む。この時点では返金処理（お釣り引換券発行）、ジョブ終了が完了しているため、ユーザに対して利用完了したことを通知するために画像形成制御部１５は操作部６５０上のＬＣＤタッチパネル６００に対し図５の画面５５０を表示する。
【００７４】
次にステップＳ７１３で画像形成制御部１５は、操作部６５０上のＬＣＤタッチパネル６００に対し、図５の画面５５０を表示して利用完了の表示をする。その後、画像形成制御部１５は、画面５００を表示させ、次のユーザからのサービス利用を待つ。
【００７５】
＜お釣り引換券＞
次に図１０のお釣り引換券について説明する。図１０は図７のフローチャートのステップＳ７１２で画像形成装置本体１５０から出力されたお釣り引換券１００１を示している。お釣り引換券１００１は図７に示したように、お釣りをユーザに返金する必要が生じたが、非接触ＩＣカードへ直接返金することを回避するために用いられる。これは返金処理の解析がなされることで、非接触ＩＣカードへの不正なチャージが行なわれることを防止するためである。
【００７６】
お釣り引換券１００１は、ユーザへ「この引換券をレジに持っていくと、お釣りが受け取れる」というメッセージ１００２を明記しておく。また実際のおつりの金額１００３、ジョブを投入した日時１００４などを印字しておく。更にレジでの返金処理がスムーズに行なわれるよう、おつりの金額を表すバーコード１００５などを印字しておくことも望ましい。もちろん、お釣り引換券１００１自体が不正に複製、偽造されることの無いように更に不正防止の情報をバーコードに盛り込んでも良い。
【００７７】
＜課金装置制御部における処理の流れ＞
次に、図８を用いて課金装置制御部３２０における課金処理制御の制御手順を説明する。図８は課金装置制御部３２０における処理の流れを示したフローチャートである。
【００７８】
課金装置制御部３２０は図１に示すように画像形成装置本体１５０の画像形成制御部１５と課金装置接続部３１０を介して接続されており、まずステップＳ８００では、画像形成制御部１５からのコマンド待ちの状態になっている。
【００７９】
ステップＳ８０１は、画像形成制御部１５から利用予定金額Ｘの課金指示が通知されたことを示すステップである。このタイミングは図６のフローチャートにおけるステップＳ６０１、図７のフローチャートにおけるステップＳ７０１に相当する。
【００８０】
ステップＳ８０２では、課金装置制御部３２０は非接触ＩＣカード３５０の内容を読み取るために、非接触ＩＣカードリーダライタ部３０１から電波を出力し、ユーザが非接触ＩＣカードリーダライタ部３１０に非接触ＩＣカード３５０が近づけられるのを待つ。
【００８１】
ステップＳ８０３では、課金装置制御部３２０はステップＳ８０２で電波を出力してから所定の時間が経過したかを判別する。所定の時間を経過してタイムアウト状態になった場合にはステップＳ８０６へ、まだ所定の時間内でタイムアウト状態ではない場合にはステップＳ８０４に進む。
【００８２】
ステップＳ８０４（検知工程）において、課金装置制御部３２０は非接触ＩＣカードリーダライタ部３０１へ非接触ＩＣカード３５０が接触（非接触ＩＣカードの内容が読み取れるか？）されたかを判別する。接触され、非接触ＩＣカードの内容が読み取れる場合にはステップＳ８０５へ進み、読み取れない場合にはステップＳ８０３へ戻り、タイムアウトのチェックを行なう。
【００８３】
つまり非接触ＩＣカードの内容が読み取れずに、タイムアウトではない状態の時は、ステップＳ８０３、ステップＳ８０４を繰り返すポーリング状態になる。なお本フローチャートではポーリングによって実現しているが、もちろん割込み処理を使って実装してもよい。
【００８４】
ステップＳ８０５（読込工程）では、ステップＳ８０４にて課金装置制御部３２０は非接触ＩＣカードリーダライタ部３０１へ非接触ＩＣカード３５０が接触し、非接触ＩＣカードの内容が読み取れるようになったため、課金装置制御部３２０は非接触ＩＣカード３５０からＩＣカード残金Ｙを読み取り、ステップＳ８０７へ進む。
【００８５】
一方、課金装置制御部３２０はステップＳ８０２で電波を出力してから所定の時間が経過し、ステップＳ８０３にてタイムアウトの状態になるとステップＳ８０６に進む。ステップＳ８０６では課金装置制御部３２０は画像形成制御部１５に対し、タイムアウトしたことを通知し、ステップＳ８１６へ進む。このタイミングは図６のフローチャートにおけるステップＳ６０３、図７のフローチャートにおけるステップ７０３に相当する。
【００８６】
ステップＳ８０７では、ステップＳ８０５で非接触ＩＣカード３５０から読み取ったＩＣカード残金ＹとステップＳ８０１で画像形成制御部１５から通知された利用予定金額Ｘとの比較を行い、ＩＣカード残金Ｙが利用予定金額Ｘより大きい、あるいは一致する場合にはステップＳ８０８へ進み、ＩＣカード残金Ｙが利用予定金額Ｘより小さい場合にはステップＳ８１０へ進む。
【００８７】
ステップＳ８０８（書換工程）では、非接触ＩＣカード３５０のＩＣカード残金Ｙが利用予定金額Ｘより大きい、あるいは一致したことで、正常に課金が行なえるため、非接触ＩＣカード３５０から利用予定金額Ｘ分の課金を行ない、ステップＳ８０９へ進む。
【００８８】
ステップＳ８０９において、課金装置制御部３２０はステップＳ８０８で正常に課金が行なえたことを画像形成制御部１５に対して通知し、ステップＳ８１６へ進む。このタイミングは図６、図７のフローチャートで示したタイミングＣに相当する。
【００８９】
一方、ステップＳ８１０では、ステップＳ８０７でＩＣカード残金Ｙが利用予定金額Ｘより小さいと判断された結果、正常に課金を行えないことから、画像形成制御部１５に対して課金失敗を通知し、ステップＳ８１５へ進む。このタイミングは図６のフローチャートにおけるステップＳ６０４、図７のフローチャートにおけるステップＳ７０４に相当する。
【００９０】
ステップＳ８１１は、画像形成制御部１５から利用予定金額Ｘ−トータル課金Ｚ分（お釣り）の返金指示が通知されたことを示すステップである。このタイミングは図６に図示したフローチャートにおけるステップＳ６１２に相当する。
【００９１】
ステップＳ８１２では、課金装置制御部３２０は非接触ＩＣカード３５０の内容を読み取るために、非接触ＩＣカードリーダライタ部３０１から電波を出力し、ユーザが非接触ＩＣカードリーダライタ部３１０に非接触ＩＣカード３５０が近づけられるのを待つ。
【００９２】
ステップＳ８１３（検知工程）において、課金装置制御部３２０は非接触ＩＣカードリーダライタ部３０１へ非接触ＩＣカード３５０が接触（非接触ＩＣカードの内容が読み取れるか？）されたかを判別する。接触され、非接触ＩＣカードの内容が読み取れる場合にはステップＳ８１４へ、読み取れない場合にはステップＳ８１３へ戻る。
【００９３】
ステップＳ８１４（書換工程）において、課金装置制御部３２０は非接触ＩＣカード３５０へ利用予定金額Ｘ−トータル課金Ｚ分（お釣り）の返金を行ない、ステップＳ８１５へ進む。ステップＳ８１５では、課金装置制御部３２０はステップＳ８１４での非接触ＩＣカード３５０への返金処理が正常に完了したことを画像形成制御部１５に対して通知する。このタイミングは図６のフローチャートにおけるステップＳ６１３に相当する。
【００９４】
ステップＳ８１６は、ステップＳ８０５のタイムアウト処理、ステップＳ８０９の課金完了、ステップＳ８１０の課金失敗、ステップＳ８１５の返金処理完了後のステップに相当し、ステップＳ８０２、ステップＳ８１２での電波の出力を停止し、ステップＳ８１７へ進む。
【００９５】
ステップＳ８１７では、ステップＳ８００と同様に待機状態に戻り、画像形成制御部１５からの次の指示を待つ状態になる。
【００９６】
以上の説明から明らかなように、本実施形態にかかる画像形成装置によれば、コンビニエンスストアなどに普及しているコピーサービスの提供において非接触ＩＣカードによる精算を実現することが可能となる。
【００９７】
また、本実施形態にかかる画像形成装置によれば、ユーザは精算にあたり、コピー処理開始前と、コピー処理完了後にそれぞれ非接触ＩＣカードをＩＣカードリーダライタ部にかざすだけよく、非接触ＩＣカードの利便性を損なうことなく精算を行うことが可能となる。
【００９８】
また、本実施形態にかかる画像形成装置によれば、コピー中に記録紙がなくなったり、ユーザの都合でコピーを途中でキャンセルしたりした場合であったも、非接触ＩＣカードをＩＣカードリーダライタ部にかざせば、利用予定金額と利用金額との差額が返金されるため、コピーサービスの利用量に適した金額のみを課金することが可能となる。
【００９９】
さらに、本実施形態にかかる画像形成装置によれば、印刷物を取り除けないようにするための構成等が不要であり、非接触ＩＣカードによる精算を安価に実現することが可能となる。
【０１００】
＜他の実施形態＞
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１０１】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１０２】
この場合、記憶媒体から読出されたプログラムコード自体が前述した実施形態の機能を実現することになり、そのプログラムコードを記憶した記憶媒体は本発明を構成することになる。
【０１０３】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１０４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１０５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１０６】
【図１】本発明の一実施形態にかかる画像形成装置の全体構成を示す全体図である。
【図２】画像形成装置本体のリーダ部及びプリンタ部の各機構部の構成を示す概略断面図である。
【図３】画像形成装置本体の画像形成制御部１５の構成を示すブロック図である。
【図４】画像形成装置本体の操作部６５０を示す図である。
【図５】画像形成装置本体の操作部６５０上のＬＣＤタッチパネル６００に表示する画面図である。
【図６】画像形成制御部１５における、課金制御処理の流れを示すフローチャートである。
【図７】画像形成制御部１５における、課金制御処理の流れを示すフローチャートである。
【図８】本発明の一実施形態にかかる課金装置の課金装置制御部における、課金制御処理の流れを示すフローチャートである。
【図９】課金装置制御部３２０の構成を示すブロック図である。
【図１０】画像形成制御部１５が出力するお釣り引換券の一例を示す図である。
【符号の説明】
【０１０７】
１００  スキャナ部
２００  プリンタ部
３００  課金装置
１５０  画像形成装置本体
１５    画像形成制御部
３２０  課金装置制御部
３５０  非接触ＩＣカード
【図１】
2006058566.tif 000003
【図２】
2006058566.tif 000004
【図３】
2006058566.tif 000005
【図４】
2006058566.tif 000006
【図５】
2006058566.tif 000007
【図６】
2006058566.tif 000008
【図７】
2006058566.tif 000009
【図８】
2006058566.tif 000010
【図９】
2006058566.tif 000011
【図１０】
2006058566.tif 000012